(57)【要約】【課題】ＦＡＸの誤送信を防止することが出来るシステムの提供。【解決手段】ユーザＩＤと連絡先となるメールのアドレスが組になって登録されたユーザテーブルが記憶された記憶部と、ファクシミリの送信を行うファクシミリ通信部と、ユーザのログインを受け付けるログイン受付部と、ユーザによるファクシミリ送信指示を受付け、原稿読取部により読み込まれた原稿を送信データとして記憶部に一時保持させるＦＡＸ送信受付部と、ユーザテーブルを参照して得たアドレスに、送信データ、送信先の電話番号、および送信可否の入力を行う画面へのリンクを送信するメール送信部と、画面を提供し、ユーザからのファクシミリ送信可否の入力を画面で受け付けるＦＡＸ送信可否受付部と、画面で送信可と入力されたとき、記憶部に一時保持されていた送信データをファクシミリ通信部経由で指定された送信先に送信するＦＡＸ送信部とを備える。【選択図】図１
2019029767.tif 000002
【特許請求の範囲】
【請求項１】
ネットワーク接続された、画像形成装置と、ユーザーが電子メールを受信可能なパーソナルコンピューターとを含み、
前記画像形成装置は、
前記パーソナルコンピューターと通信可能な通信部と、
原稿読取部と、
自装置のユーザーのユーザー識別子と連絡先となる電子メールのアドレスとが組になって登録されているユーザーテーブルが記憶された記憶部と、
公衆電話回線網を用いてファクシミリの送信を行うファクシミリ通信部と、
自装置へのユーザーのログインを受け付けるログイン受付部と、
ユーザーによるファクシミリ送信指示を受け付け、前記原稿読取部により読み込まれたファクシミリ原稿を送信データとして前記記憶部に一時保持させるＦＡＸ送信受付部と、
前記ユーザーテーブルを参照して得た、ファクシミリ送信を指示したユーザーの前記アドレスに、前記送信データ、送信先の電話番号、および送信可否の入力を行う画面へのリンクを電子メールとして送信するメール送信部と、
前記画面を提供し、ユーザーからのファクシミリ送信可否の入力を前記画面で受け付けるＦＡＸ送信可否受付部と、
前記画面で送信可と入力されたとき、前記記憶部に一時保持されていた前記送信データを前記ファクシミリ通信部経由で指定された送信先にファクシミリ送信するＦＡＸ送信部と
を備えた
情報処理システム。
【請求項２】
請求項１に記載の情報処理システムであって、
前記記憶部には、ファクシミリの送信先となる宛先の名称と、前記宛先の電話番号とが組になって登録されている宛先テーブルが記憶されており、
ファクシミリ送信を指示された送信先が、前記宛先テーブルに記憶されていない新規の電話番号であるとき、
前記メール送信部が、前記ユーザーテーブルを参照して得た、ファクシミリ送信を指示したユーザーの前記アドレスに、前記送信データ、送信先の電話番号、および送信可否の入力を行う画面へのリンクを電子メールとして送信し、
前記ＦＡＸ送信可否受付部が、前記画面を提供し、ユーザーからのファクシミリ送信可否の入力を前記画面で受け付け、
前記ＦＡＸ送信部が、前記画面で送信可と入力されたとき、前記記憶部に一時保持されていた前記送信データを前記ファクシミリ通信部経由で指定された送信先にファクシミリ送信する
情報処理システム。
【請求項３】
請求項１に記載の情報処理システムであって、
前記記憶部には、ファクシミリの送信先となる宛先の名称と、前記宛先の電話番号と、前記宛先が社内であるか社外であるかを区別するための社内外区分とが組になって登録されている宛先テーブルが記憶されており、
ファクシミリ送信を指示された送信先が、前記宛先テーブルの前記社内外区分で社外に区別されているとき、
前記メール送信部が、前記ユーザーテーブルを参照して得た、ファクシミリ送信を指示したユーザーの前記アドレスに、前記送信データ、送信先の電話番号、および送信可否の入力を行う画面へのリンクを電子メールとして送信し、
前記ＦＡＸ送信可否受付部が、前記画面を提供し、ユーザーからのファクシミリ送信可否の入力を前記画面で受け付け、
前記ＦＡＸ送信部が、前記画面で送信可と入力されたとき、前記記憶部に一時保持されていた前記送信データを前記ファクシミリ通信部経由で指定された送信先にファクシミリ送信する
情報処理システム。
【請求項４】
ネットワーク接続された、画像形成装置と、ユーザーが電子メールを受信可能なパーソナルコンピューターとを含んだ情報処理システムにおける情報処理方法であって、
ユーザーのログインを受け付け、
ユーザーによるファクシミリ送信指示を受け付け、原稿読取部により読み込まれたファクシミリ原稿を送信データとして記憶部に一時保持させ、
ユーザーのユーザー識別子と連絡先となる電子メールのアドレスとが組になって登録されているユーザーテーブルを参照して得た、ファクシミリ送信を指示したユーザーの前記アドレスに、前記送信データ、送信先の電話番号、および送信可否の入力を行う画面へのリンクを電子メールとして送信し、
前記画面を提供し、ユーザーからのファクシミリ送信可否の入力を前記画面で受け付け、
前記画面で送信可と入力されたとき、前記記憶部に一時保持されていた前記送信データをファクシミリ通信部経由で指定された送信先にファクシミリ送信する
ことを前記画像形成装置が行う
情報処理方法。
【発明の詳細な説明】
【技術分野】
【０００１】
本発明は、ファクシミリ（以下ＦＡＸと略す）を送信する情報処理システムおよび情報処理方法に関する。
【背景技術】
【０００２】
従来、ＦＡＸの誤送信を防ぐために様々な工夫がなされてきた。
【０００３】
例えば、特許文献１において開示されている技術では、画像形成装置（ＭＦＰ、Multifunction Peripheral）にワンタッチキーや短縮ダイヤルとして登録されているＦＡＸ送信先が、アドレス帳のインポート／エクスポート機能によりユーザーの知らない間に外部で一括編集された場合、ユーザーがＦＡＸ送信でワンタッチキーや短縮ダイヤルを使う際、登録されている宛先が編集されている場合は、宛先確認画面を表示してユーザーに注意を促す。
【先行技術文献】
【特許文献】
【０００４】
【特許文献１】特開２０１５−２１６５５３号公報
【発明の概要】
【発明が解決しようとする課題】
【０００５】
これまで、特許文献１のように、ＦＡＸの誤送信を防ぐために様々な工夫がなされてきたが、さらにＦＡＸ誤送信防止のための改良を行う余地があった。
【０００６】
以上のような事情に鑑み、本発明の目的は、ＦＡＸの誤送信を防止することが出来る情報処理システムおよび情報処理方法を提供することにある。
【課題を解決するための手段】
【０００７】
上記目的を達成するため、本発明の一形態に係る情報処理システムは、ネットワーク接続された、画像形成装置と、ユーザーが電子メールを受信可能なパーソナルコンピューターとを含み、前記画像形成装置は、前記パーソナルコンピューターと通信可能な通信部と、原稿読取部と、自装置のユーザーのユーザー識別子と連絡先となる電子メールのアドレスとが組になって登録されているユーザーテーブルが記憶された記憶部と、公衆電話回線網を用いてファクシミリの送信を行うファクシミリ通信部と、自装置へのユーザーのログインを受け付けるログイン受付部と、ユーザーによるファクシミリ送信指示を受け付け、前記原稿読取部により読み込まれたファクシミリ原稿を送信データとして前記記憶部に一時保持させるＦＡＸ送信受付部と、前記ユーザーテーブルを参照して得た、ファクシミリ送信を指示したユーザーの前記アドレスに、前記送信データ、送信先の電話番号、および送信可否の入力を行う画面へのリンクを電子メールとして送信するメール送信部と、前記画面を提供し、ユーザーからのファクシミリ送信可否の入力を前記画面で受け付けるＦＡＸ送信可否受付部と、前記画面で送信可と入力されたとき、前記記憶部に一時保持されていた前記送信データを前記ファクシミリ通信部経由で指定された送信先にファクシミリ送信するＦＡＸ送信部とを備える。
【０００８】
そのため、ＦＡＸの誤送信を防止することが出来る。
【０００９】
上記目的を達成するため、本発明の一形態に係る情報処理システムでは、前記記憶部には、ファクシミリの送信先となる宛先の名称と、前記宛先の電話番号とが組になって登録されている宛先テーブルが記憶されており、ファクシミリ送信を指示された送信先が、前記宛先テーブルに記憶されていない新規の電話番号であるとき、前記メール送信部が、前記ユーザーテーブルを参照して得た、ファクシミリ送信を指示したユーザーの前記アドレスに、前記送信データ、送信先の電話番号、および送信可否の入力を行う画面へのリンクを電子メールとして送信し、前記ＦＡＸ送信可否受付部が、前記画面を提供し、ユーザーからのファクシミリ送信可否の入力を前記画面で受け付け、前記ＦＡＸ送信部が、前記画面で送信可と入力されたとき、前記記憶部に一時保持されていた前記送信データを前記ファクシミリ通信部経由で指定された送信先にファクシミリ送信する構成でもよい。
【００１０】
上記目的を達成するため、本発明の一形態に係る情報処理システムでは、前記記憶部には、ファクシミリの送信先となる宛先の名称と、前記宛先の電話番号と、前記宛先が社内であるか社外であるかを区別するための社内外区分とが組になって登録されている宛先テーブルが記憶されており、ファクシミリ送信を指示された送信先が、前記宛先テーブルの前記社内外区分で社外に区別されているとき、前記メール送信部が、前記ユーザーテーブルを参照して得た、ファクシミリ送信を指示したユーザーの前記アドレスに、前記送信データ、送信先の電話番号、および送信可否の入力を行う画面へのリンクを電子メールとして送信し、前記ＦＡＸ送信可否受付部が、前記画面を提供し、ユーザーからのファクシミリ送信可否の入力を前記画面で受け付け、前記ＦＡＸ送信部が、前記画面で送信可と入力されたとき、前記記憶部に一時保持されていた前記送信データを前記ファクシミリ通信部経由で指定された送信先にファクシミリ送信する構成でもよい。
【００１１】
上記目的を達成するため、本発明の一形態に係る情報処理方法は、ネットワーク接続された、画像形成装置と、ユーザーが電子メールを受信可能なパーソナルコンピューターとを含んだ情報処理システムにおける情報処理方法であって、ユーザーのログインを受け付け、ユーザーによるファクシミリ送信指示を受け付け、原稿読取部により読み込まれたファクシミリ原稿を送信データとして記憶部に一時保持させ、ユーザーのユーザー識別子と連絡先となる電子メールのアドレスとが組になって登録されているユーザーテーブルを参照して得た、ファクシミリ送信を指示したユーザーの前記アドレスに、前記送信データ、送信先の電話番号、および送信可否の入力を行う画面へのリンクを電子メールとして送信し、前記画面を提供し、ユーザーからのファクシミリ送信可否の入力を前記画面で受け付け、前記画面で送信可と入力されたとき、前記記憶部に一時保持されていた前記送信データをファクシミリ通信部経由で指定された送信先にファクシミリ送信することを前記画像形成装置が行う。
【発明の効果】
【００１２】
以上のように、本発明によれば、ＦＡＸの誤送信を防止することが出来る。
【図面の簡単な説明】
【００１３】
【図１】本発明の一実施形態に係る情報処理システム１００の全体構成と、全体的な処理の流れを示す図である。
【図２】画像形成装置２０の構成を概略的に示す構成図である。
【図３】ユーザーテーブル２９ａの例を示す図である。
【図４】宛先テーブル２９ｂの例を示す図である。
【図５】詳細な処理の流れについて説明するためのフローチャートである。
【発明を実施するための形態】
【００１４】
以下、図面を参照しながら、本発明の実施形態を説明する。
【００１５】
［全体構成と全体的な処理の流れ］
最初に、本発明の一実施形態に係る情報処理システム１００の全体構成と、全体的な処理の流れについて説明する。図１は、本発明の一実施形態に係る情報処理システム１００の全体構成と、全体的な処理の流れを示す図である。
【００１６】
情報処理システム１００は、ネットワーク接続された画像形成装置２０とＰＣ（Personal Computer）１０を含んで構成される。
【００１７】
画像形成装置２０は、電話回線にも接続されており、ＦＡＸの送受信が可能である。
【００１８】
ＰＣ１０は、画像形成装置２０からＦＡＸを送信するユーザーが自身への電子メールを受信可能なＰＣである。
【００１９】
全体的な処理の流れとしては、以下の通りである。
（１）まず、ＦＡＸを送信したいユーザーが画像形成装置２０にログインしてＦＡＸ原稿を画像形成装置２０に読み込ませ、送信先を指定してＦＡＸ送信を指示する。
【００２０】
（２）ＦＡＸ送信の指示を受けた画像形成装置２０は、ＦＡＸの送信データをすぐには指定された送信先に送らず、画像形成装置２０内で一時保持する。
【００２１】
（３）次に、画像形成装置２０は、ＦＡＸの送信データと、送信先と、送信可否を入力する画面へのリンクとを、画像形成装置２０に登録されているログインユーザーのメールアドレス宛てにメール送信する。
【００２２】
（４）次に、画像形成装置２０前でＦＡＸ送信の操作を行ったユーザーが自席のＰＣ１０の前に移動する。
【００２３】
（５）次に、ユーザーが自席のＰＣ１０で画像形成装置２０から送られてきた電子メールを開き、ＦＡＸの送信内容と送信先が適切か否かを確認し、送信可否を入力する画面へのリンクをクリックして、送信可否を入力する画面を開き、画面から送信の可否を入力する。
【００２４】
（６）ユーザーが、送信可否の入力画面に送信の可否を入力することにより、ＰＣ１０から画像形成装置２０へ送信可否情報が送られる。
【００２５】
（７ａ）ユーザーが送信可とした場合、画像形成装置２０は、一時保持していたＦＡＸの送信データを送信先にＦＡＸ送信する。
【００２６】
（７ｂ）ユーザーが送信不可とした場合、画像形成装置２０は、一時保持していたＦＡＸの送信データを消去する。
【００２７】
以上、本発明の一実施形態に係る情報処理システム１００の全体構成と、全体的な処理の流れについて説明した。
【００２８】
［画像形成装置の構成］
次に、画像形成装置２０の構成について説明する。図２は画像形成装置２０の構成を概略的に示す構成図である。
【００２９】
画像形成装置２０は、制御部２１を備える。制御部２１は、ＣＰＵ（Central Processing Unit）、ＲＡＭ（Random Access Memory）、ＲＯＭ（Read Only Memory）、および専用のハードウェア回路等から構成され、画像形成装置２０の全体的な動作制御を司る。
【００３０】
制御部２１は、原稿読取部２２、画像処理部２３、画像メモリー２４、画像形成部２５、操作部２６、表示部２６ａ、ファクシミリ通信部２７、通信部２８、記憶部２９等と接続されている。制御部２１は、接続されている上記各部の動作制御や、各部との間での信号又はデータの送受信を行う。
【００３１】
制御部２１は、ユーザーから、操作部２６またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００３２】
また、制御部２１は、ログイン受付部２１ａ、ＦＡＸ送信受付部２１ｂ、メール送信部２１ｃ、ＦＡＸ送信可否受付部２１ｄ、ＦＡＸ送信部２１ｅ、および送信データ消去部２１ｆを有している。ログイン受付部２１ａ、ＦＡＸ送信受付部２１ｂ、メール送信部２１ｃ、ＦＡＸ送信可否受付部２１ｄ、ＦＡＸ送信部２１ｅ、および送信データ消去部２１ｆは、ＲＯＭなどからＲＡＭにロードされたプログラムがＣＰＵにより実行されることで実現される機能ブロックである。
【００３３】
ログイン受付部２１ａは、画像形成装置２０へのユーザーのログインを受け付ける。
【００３４】
ＦＡＸ送信受付部２１ｂは、ユーザーによるＦＡＸ送信指示を受け付け、原稿読取部２２により読み込まれたＦＡＸ原稿を送信データとして記憶部２９に一時保持させる。
【００３５】
メール送信部２１ｃは、ＦＡＸ送信を指示したログインユーザーの、画像形成装置２０に登録されている電子メールの宛先に、ＦＡＸの送信データ、送信先の電話番号、および送信可否の入力を行う画面へのリンクをメール送信する。なお、電子メールの宛先はユーザーテーブル２９ａ（後述）を参照して得る。
【００３６】
ＦＡＸ送信可否受付部２１ｄは、メール送信部２１ｃが送信するメールに含まれる送信可否の入力を行う画面へのリンクに対応した画面を提供し、ユーザーからのＦＡＸ送信可否の入力をその画面で受け付ける。
【００３７】
ＦＡＸ送信部２１ｅは、ＦＡＸ送信可否受付部２１ｄが提供するＦＡＸ送信可否を入力する画面で、送信可と入力された場合に、記憶部２９で一時保持していた送信データをファクシミリ通信部経由で指定された送信先にＦＡＸ送信する。
【００３８】
送信データ消去部２１ｆは、ＦＡＸ送信可否受付部２１ｄが提供するＦＡＸ送信可否を入力する画面で、送信不可と入力された場合に、記憶部２９で一時保持していた送信データを消去する。
【００３９】
原稿読取部２２は、原稿から画像を読み取る。
【００４０】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００４１】
画像メモリー２４は、原稿読取部２２による読み取りで得られた原稿画像のデータを一時的に記憶したり、画像形成部２５での印刷対象となるデータを一時的に記憶したりする領域である。
【００４２】
画像形成部２５は、原稿読取部２２で読み取られた画像データ等の画像形成を行う。
【００４３】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。
【００４４】
ファクシミリ通信部２７は、図示しない符号化／復号化部、変復調部、およびＮＣＵ（Network Control Unit）を備え、公衆電話回線網を用いてのファクシミリの送信を行う。
【００４５】
通信部２８は、ＬＡＮボード等の通信モジュールから構成され、通信部２８に接続されたＬＡＮ等を介して、ネットワーク上の装置(ＰＣ等)と種々のデータの送受信を行う。
【００４６】
記憶部２９は、原稿読取部２２によって読み取られた原稿画像およびユーザーテーブル２９ａ（後述）、宛先テーブル２９ｂ（後述）、ＦＡＸの送信データ２９ｃなどを記憶する。記憶部２９は、ＨＤＤなどの大容量の記憶装置である。
【００４７】
以上、画像形成装置２０の構成について説明した。
【００４８】
［ユーザーテーブルについて］
次に、ユーザーテーブル２９ａについて説明する。図３は、ユーザーテーブル２９ａの例を示す図である。
【００４９】
図に示すように、ユーザーテーブル２９ａでは、ユーザーのユーザーＩＤ（ユーザー識別子）とそのユーザーの連絡先である電子メールのアドレスとが組になって登録されている。
【００５０】
そのため、メール送信部２１ｃは、ユーザーテーブル２９ａを参照することにより、ＦＡＸ送信するために画像形成装置２０にログインしたユーザーのユーザーＩＤからメールの送信先を得ることが出来る。
【００５１】
以上、ユーザーテーブル２９ａについて説明した。
【００５２】
［宛先テーブルについて］
次に、宛先テーブル２９ｂについて説明する。図４は、宛先テーブル２９ｂの例を示す図である。
【００５３】
図にあるように、宛先テーブル２９ｂでは、ＦＡＸの送信先となる宛先の名称と、宛先の電話番号と、社内外区分とが組になって登録されている。社内外区分とは、宛先が社内であるか社外であるかを区別するための区分である。
【００５４】
画像形成装置２０では、ユーザーがＦＡＸ送信する宛先が社外の場合だけ、図１で説明した送信内容のチェックを行い、宛先が社内の場合は、改めて送信内容のチェックを行わないようにすることにより、誤送信防止の効果とユーザーの手間のバランスを取っている。
【００５５】
なお、上記の説明では、送信内容のチェックを宛先が社内か社外により分けたが、この分け方に限らず、管理者またはユーザーが送信内容のチェックを行いたい宛先にはフラグを立てておき、送信時にフラグが立っている宛先にＦＡＸ送信する場合には、送信内容のチェックを行う構成でもよい。
【００５６】
以上、宛先テーブル２９ｂについて説明した。
【００５７】
［詳細な処理の流れ］
次に、詳細な処理の流れについて説明する。図５は、詳細な処理の流れについて説明するためのフローチャートである。
【００５８】
まず、画像形成装置２０のログイン受付部２１ａが、ＦＡＸ送信を行うユーザーのログインを受け付ける（ステップＳ１）。
【００５９】
次に、画像形成装置２０のＦＡＸ送信受付部２１ｂが、ログインユーザーによるＦＡＸ送信の指示を受け付け、ＦＡＸ原稿を原稿読取部２２経由で読み取り、読み取った送信データを記憶部２９に一時保持させる（ステップＳ２）。
【００６０】
次に、ＦＡＸ送信受付部２１ｂは、ユーザーが指定したＦＡＸの送信先が、新規の送信先であるか、または社外の送信先であるかを、宛先テーブル２９ｂを参照して判断する（ステップＳ３）。
【００６１】
ＦＡＸの送信先が、新規の送信先でも社外でもない場合（ステップＳ３のＮ）、ＦＡＸ送信部２１ｅが、記憶部２９に一時保持されていたＦＡＸの送信データ２９ｃを指定された送信先に送信し、処理を終了する（ステップＳ８）。
【００６２】
ＦＡＸの送信先が、新規の送信先か又は社外である場合（ステップＳ３のＹ）、メール送信部２１ｃが、ユーザーテーブル２９ａを参照して得られた、ログインユーザーのメールアドレス宛に、ＦＡＸの送信データ２９ｃと、送信先と、送信可否入力画面へのリンクを送信する（ステップＳ４）。
【００６３】
次に、画像形成装置２０でＦＡＸ送信を指示したユーザーが、自席のＰＣ１０の前に移動する（ステップＳ５）。
【００６４】
次に、自席に戻ったユーザーが、ＰＣ１０で画像形成装置２０から受信したメールを開き、ＦＡＸの送信データの内容と送信先を確認し、メールに含まれる、送信可否入力画面のリンクをクリックしてＦＡＸ送信可否受付部２１ｄが提供する送信可否入力画面を開き、送信可または送信不可を入力する（ステップＳ６）
【００６５】
次に、画像形成装置２０のＦＡＸ送信可否受付部２１ｄが、ユーザーの入力に基づいて送信可否を判断する（ステップＳ７）。
【００６６】
送信可の場合（ステップＳ７のＹ）、画像形成装置２０のＦＡＸ送信部２１ｅが、記憶部２９に一時保持されていたＦＡＸの送信データ２９ｃを指定された送信先に送信し、処理を終了する（ステップＳ８）。
【００６７】
送信不可の場合（ステップＳ７のＮ）、画像形成装置２０の送信データ消去部２１ｆが、記憶部２９に一時保持されていたＦＡＸの送信データ２９ｃを消去し、処理を終了する（ステップＳ９）。
【００６８】
以上、詳細な処理の流れについて説明した。
【００６９】
［補足事項］
以上のように、本発明に係る情報処理システム１００は、ネットワーク接続された、画像形成装置２０と、ユーザーが電子メールを受信可能なパーソナルコンピューター１０とを含み、前記画像形成装置２０は、前記パーソナルコンピューター１０と通信可能な通信部２８と、原稿読取部２２と、自装置２０のユーザーのユーザー識別子と連絡先となる電子メールのアドレスとが組になって登録されているユーザーテーブル２９ａが記憶された記憶部２９と、公衆電話回線網を用いてファクシミリの送信を行うファクシミリ通信部２７と、自装置２０へのユーザーのログインを受け付けるログイン受付部２１ａと、ユーザーによるファクシミリ送信指示を受け付け、前記原稿読取部２２により読み込まれたファクシミリ原稿を送信データ２９ｃとして前記記憶部２９に一時保持させるＦＡＸ送信受付部２１ｂと、前記ユーザーテーブル２９ａを参照して得た、ファクシミリ送信を指示したユーザーの前記アドレスに、前記送信データ２９ｃ、送信先の電話番号、および送信可否の入力を行う画面へのリンクを電子メールとして送信するメール送信部２１ｃと、前記画面を提供し、ユーザーからのファクシミリ送信可否の入力を前記画面で受け付けるＦＡＸ送信可否受付部２１ｄと、前記画面で送信可と入力されたとき、前記記憶部２９に一時保持されていた前記送信データ２９ａを前記ファクシミリ通信部２７経由で指定された送信先にファクシミリ送信するＦＡＸ送信部２１ｅとを備える。
【００７０】
そのため、ＦＡＸの誤送信を防止することが出来る。
【００７１】
その他、本発明は、上述の実施形態にのみ限定されるものではなく、本発明の要旨を逸脱しない範囲内において種々変更を加え得ることは勿論である。
【符号の説明】
【００７２】
１０  …  ＰＣ
２０  …  画像形成装置
２１  …  制御部
２１ａ…  ログイン受付部
２１ｂ…  ＦＡＸ送信受付部
２１ｃ…  メール送信部
２１ｄ…  ＦＡＸ送信可否受付部
２１ｅ…  ＦＡＸ送信部
２１ｆ…  送信データ消去部
２２  …  原稿読取部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
２９ａ…  ユーザーテーブル
２９ｂ…  宛先テーブル
２９ｃ…  送信データ
１００  …  情報処理システム
【図１】
2019029767.tif 000003
【図２】
2019029767.tif 000004
【図３】
2019029767.tif 000005
【図４】
2019029767.tif 000006
【図５】
2019029767.tif 000007